【事件の表示】
　特願２０１５−５９７７８号「遊技機」拒絶査定不服審判事件〔平成２７年６月１８日出願公開、特開２０１５−１１０１５２号〕について、次のとおり審決する。
【結　論】
　本件審判の請求は、成り立たない。
【理　由】
第１．手続の経緯
　本願は、平成２２年１１月２９日に出願した特願２０１０−２６５３９９号の一部を平成２５年７月１９日に新たな特許出願とし（特願２０１３−１５０３５９号）、さらにその一部を平成２７年３月２３日に新たな出願としたものであって、平成２８年２月８日付けで拒絶理由通知がなされ、同年３月２３日付けで手続補正がなされ、同年９月９日付けで拒絶理由通知（最後の拒絶理由通知）がなされ、同年９月２７日付けにて手続補正がなされたが、平成２９年２月７日付け補正の却下の決定により前記平成２８年９月２７日付けの手続補正が却下されるとともに同日付けで拒絶査定がなされ、これに対して、平成２９年３月２４日に拒絶査定不服審判の請求がされるとともに、同日付けで明細書についての手続補正がなされたものである。
第２．平成２９年３月２４日にされた手続補正についての補正の却下の決定
［補正の却下の決定の結論］
　平成２９年３月２４日にされた手続補正（以下、「本件補正」という。）を却下する。
［理由］
１．本件補正について
　本件補正は、特許請求の範囲の補正を含んでおり、本件補正により、平成２８年３月２３日付けの手続補正書における特許請求の範囲の請求項１における
「遊技盤と、前記遊技盤に配置され開口を有するセンター部材と、前記センター部材の開口をのぞんで配置された図柄表示装置と、前記センター部材の後方に配置される可動盤面部品と、アウト口と、入賞口と、特別遊技状態のときに開成する大入賞口と、を備えた遊技機であって、
　前記可動盤面部品は、
　前記図柄表示装置の前方を所定の移動経路に沿って第１の表示形態位置と第２の表示形態位置と第３の表示形態位置との間を往復移動する第１装飾体と、
　前記第１の表示形態位置と前記第３の表示形態位置との間の第２の表示形態位置まで前記第１装飾体に追従移動する第２装飾体と、を備え、
　前記入賞口は、前記遊技盤の略左右中央で且つ前記センター部材の直下且つアウト口の直上に配置され、
　前記大入賞口は、前記入賞口より右方で且つ前記図柄表示装置を避けた位置に配置されていることを特徴とする遊技機。」（以下「補正前請求項１」という。）
は、審判請求時に提出された手続補正書（平成２９年３月２４日付け）における
「遊技盤と、前記遊技盤に配置され開口を有するセンター部材と、前記センター部材の開口をのぞんで配置された図柄表示装置と、前記センター部材の後方に配置される可動盤面部品と、
前記可動盤面部品を前記図柄表示装置の一辺側から支持する一の支持機構と、
　前記可動盤面部品は、
　前記図柄表示装置の前方
であり、且つ前記一の支持機構の前方を
　前記第１の表示形態位置と前記第３の表示形態位置との間の第２の表示形態位置まで前記第１装飾体に追従移動する第２装飾体と、を備え、
　前記第２装飾体は、往復移動する過程で前記一の支持機構の前方に位置するように移動し、
　前記入賞口は、前記遊技盤の略左右中央で且つ前記センター部材の直下且つアウト口の直上に配置され、
　前記大入賞口は、前記入賞口より右方で且つ前記図柄表示装置を避けた位置に配置されていることを特徴とする遊技機。」（以下「補正後請求項１」という。）
に補正された（下線は、補正箇所を明示するために当審にて付した。以下同様。）。
２．補正の適否
（１）本件補正
　本件補正は、特許請求の範囲の請求項１について、以下に挙げる補正事項を含むものである。
ア　本件遊技機の備える構成として、補正前請求項１の「遊技盤と、前記遊技盤に配置され開口を有するセンター部材と、前記センター部材の開口をのぞんで配置された図柄表示装置と、前記センター部材の後方に配置される可動盤面部品と、アウト口と、入賞口と、特別遊技状態のときに開成する大入賞口と、を備えた遊技機であって」なる記載を、「遊技盤と、前記遊技盤に配置され開口を有するセンター部材と、前記センター部材の開口をのぞんで配置された図柄表示装置と、前記センター部材の後方に配置される可動盤面部品と、
前記可動盤面部品を前記図柄表示装置の一辺側から支持する一の支持機構と、
イ　第１装飾体の移動経路について、補正前請求項１の「前記図柄表示装置の前方を所定の移動経路に沿って」なる記載を、「前記図柄表示装置の前方
であり、且つ前記一の支持機構の前方を
ウ　補正前請求項１の「前記第１の表示形態位置と前記第３の表示形態位置との間の第２の表示形態位置まで前記第１装飾体に追従移動する第２装飾体と、を備え、」なる記載を、「補正前請求項１の「前記第１の表示形態位置と前記第３の表示形態位置との間の第２の表示形態位置まで前記第１装飾体に追従移動する第２装飾体と、を備え、
　前記第２装飾体は、往復移動する過程で前記一の支持機構の前方に位置するように移動し、
（２）新規事項の有無についての検討
　上記（１）ア〜ウの補正事項について、本件出願の願書に最初に添付された明細書及び図面（以下「当初明細書等」という。）の記載事項に根拠付けられるものであるのかについて検討する。以下、前記当初明細書等の記載事項を引用する際は、その引用箇所について単に「【０００１】」「図３」などという。
ア　上記補正事項（１）アについて
　上記補正事項（１）アで加入された「前記可動盤面部品を前記図柄表示装置の一辺側から支持する一の支持機構と、」なる記載事項（以下「加入事項１」という。）について、その前提となる「可動盤面部品」には、【００１１】ほかに記載された「可動盤面部品４０」が相当するといえ、該可動盤面部品４０については、「センター部材に固定される固定ベース３１・・・に固定され・・・た固定部材４５・・・の前面側に位置し固定部材によって上下方向への進退自在に支持された第１の可動部材７０・・・の前面側に位置し第１の可動部材によって上下方向へ進退自在に支持された第２の可動部材８０と、を概略備え」（【００１４】）、「第２の可動部材８０に固定され・・・て昇降する大ヨーヨー本体（・・・第１装飾体）９０と、固定部材４５によって上下方向スライド自在に支持されて昇降する大ヨーヨーカバー（・・・第２装飾体）９５」（【００１７】）なる記載があることから、前記可動盤面部品４０を構成する前記第１・第２の可動部材（７０・８０）は前記センター部材に固定される固定ベース３１に固定された固定部材４５に直接・間接に支持されることが記載されているということができる。
　また、【００１４】には「可動盤面ユニット３０はセンター部材５の上部に固定されており、センター部材に固定される固定ベース３１と、固定ベース３１によって個別に上下動自在に支持された複数の小ヨーヨー３５と、固定ベース３１によって夫々上下動自在に支持された大ヨーヨー（装飾体）４１を含んだ可動盤面部品４０と、を備えている。」とも記載されていることから、前記固定ベース３１を含む「可動盤面ユニット３０」はセンター部材５の上部に固定されている部材であることが記載されているといえる。
　また、図１・２からは、可動盤面ユニット３０が図柄表示装置６の上辺側に位置していることを読み取ることができる。
　以上から、本件当初明細書等には、「可動盤面部品４０を構成する第１・第２の可動部材８０・９０を支持する、図柄表示装置６の上辺側のセンター部材上部に固定されて固定ベース３１及びそれに固定された固定部材４５からなる支持機構」が記載されているということができる（以下「明細書等記載事項１」という。）。
　該記明細書等載事項１と前記加入事項１とを対比する。
　まず、加入事項１の「一辺側から支持」は、明細書等記載事項１における、支持機構が「図柄表示装置６の上辺側のセンター部材上部に固定されて」いることに裏付けられるといえる。
　また、支持機構については、前記明細書等記載事項１では、可動盤面部品の最終的な支持対象である「センター部材５」と前記可動盤面部品の各構成要素（第１・第２の可動部材８０・９０）との間には、少なくとも固定ベース３１及び固定部材４５の２部材が介在しており、その何れが欠けても前記前記可動盤面部品の各構成要素（第１・第２の可動部材８０・９０）はセンター部材５に対し支持されない。よって、前記加入事項１における「一の支持機構」なる記載事項には、前記固定ベース３１及び固定部材４５の２部材を少なくとも含む、各可動盤面部品をセンター部材に対し支持するひとまとまりの要素群全体からなる「機構」が相当するといえ、その意味で該記載事項は本件明細書等の記載に裏付けられているといえる。
イ　上記補正事項（１）イについて
　上記アで認定したとおり第１装飾体に相当する「大ヨーヨー本体９０」は、上記アで支持機構に相当すると認定した固定ベース３１及び固定部材４５の前面側に位置し、該前面側にて上下に往復動することが、図３〜１２及び関連する明細書の記載箇所に記載されているといえ、上記補正事項（１）イは上記当初明細書等の記載事項に裏付けられていることが明らかといえる。
ウ　上記補正事項（１）ウについて
　上記アで認定したとおり第２装飾体に相当する「大ヨーヨーカバー９５」は、前記第１装飾体に相当する「大ヨーヨー本体９０」の前面側に位置し、該前面側にて上下に往復動する部材であることが、図６〜８・１２及び関連する明細書の記載箇所に記載されているといえ、上記補正事項（１）ウは上記当初明細書等の記載事項に裏付けられていることが明らかといえる。
エ　小括
　以上ア、イ、ウのとおりであるから、上記補正事項は何れも当初明細書等の記載事項に基づいており、新規事項を加入するものではない。
（３）補正の目的要件違反についての検討
　上記補正事項（１）アは、「支持機構」なる構成要素を追加した上で、それが「前記可動盤面部品を前記図柄表示装置の一辺側から支持する一の」要素である点を特定するものであり、同補正事項（１）イ、ウは、該追加された支持機構について、補正前請求項１が備えていた「第１装飾体」及び「第２装飾体」との位置関係をさらに特定したものである。
　ここで、前記追加された「支持機構」について請求人は審判請求書において、【００２９】の「第１の可動部材７０に搭載されたギヤ群、及び第２の可動部材８０に搭載されたギヤ群は、装飾体本体駆動機構（駆動機構）及び装飾体カバー駆動機構（駆動機構）を構成しており、各駆動機構は駆動源としてのモータ６０を制御手段が制御することによって制御される。」なる記載における「装飾体本体駆動機構（駆動機構）及び装飾体カバー駆動機構（駆動機構）」が相当する旨主張している。
　しかし、上記補正前請求項１には、前記「装飾体本体駆動機構（駆動機構）及び装飾体カバー駆動機構（駆動機構）」に対応する何らかの駆動機構に関する構成も、「支持機構」なる文言に対応する各装飾体を支持するような機構に関する構成も、記載されていない。
　また、上記補正前請求項１に係る補正前の発明と上記補正後請求項１に係る補正後の発明とを比較すると、補正後の発明は各装飾体の後方に位置し図柄表示装置の一辺側から支持する「支持機構」を備え、それと各装飾体との位置関係を特定することで、少なくとも【００２９】に記載された「大ヨーヨー９０が下降位置にある時に、その直上位置に大ヨーヨーカバー９５が位置しているため、固定部材４５、第１の可動部材７０の前面に露出配置された各ギヤ機構が大ヨーヨーカバー９５によって隠蔽された状態となる。このため、ギヤ機構が遊技者に視認されることによる興趣の低下を防止することができる。」なる効果を奏し、また、このことから、審判請求書において請求人も主張するとおり、第１装飾体との関係についても、「第１装飾体が一の支持機構の前方を所定の移動経路に沿って往復移動することにより、遊技者に対して、第１装飾体の後方に位置する一の支持機構を前方から視認できなくする効果」を新たに奏し得ることが推認される点で、補正前の発明と補正後の発明とは相違する。
　以上のことから、上記（１）ア〜ウの補正事項は、特許法第１７条の２第５項第２号に規定する限定的減縮を目的とする補正には該当しない。
　また、上記（１）ア〜ウの補正事項は、特許法第１７条の２第５項第１・３・４号のいずれにも該当しない。
　よって、上記（１）ア〜ウの補正事項は、特許法第１７条の２第５項の規定に違反するものであり同法第１５９条第１項において読み替えて準用する同法第５３条第１項の規定により却下すべきものである。
　しかしながら、事案に鑑み、本件補正が特許法第１７条の２第５項の規定に違反しないものと仮定して、本件補正により補正された請求項１に記載された発明（以下、「本件補正発明」という。）が特許出願の際独立して特許を受けることができるものであるかについて、以下検討を続けることとする。
３．本件補正発明の独立特許要件についての検討
　本件補正後の特許請求の範囲の請求項１に係る発明は、その請求項１に記載された事項により特定されるものと認められるところ、その請求項１に係る発明（以下「本件補正発明」という。）が特許出願の際独立して特許を受けることができるものであるか（特許法第１７条の２第６項において準用する同法第１２６条第７項の規定に適合するか）について以下に検討する。
（１）本件補正発明について
　本件補正発明は、上記１．の本件補正の概要に示した次のとおりのものである（Ａ〜Ｎは、分説のため当審にて付与した。）
「Ａ　遊技盤と、
Ｂ　前記遊技盤に配置され開口を有するセンター部材と、
Ｃ　前記センター部材の開口をのぞんで配置された図柄表示装置と、
Ｄ　前記センター部材の後方に配置される可動盤面部品と、
Ｅ　前記可動盤面部品を前記図柄表示装置の一辺側から支持する一の支持機構と、
Ｆ　アウト口と、
Ｇ　入賞口と、
Ｈ　特別遊技状態のときに開成する大入賞口と、を備えた遊技機であって、
Ｉ　前記可動盤面部品は、
　前記図柄表示装置の前方であり、且つ前記一の支持機構の前方を所定の移動経路に沿って第１の表示形態位置と第２の表示形態位置と第３の表示形態位置との間を往復移動する第１装飾体と、
Ｊ　前記第１の表示形態位置と前記第３の表示形態位置との間の第２の表示形態位置まで前記第１装飾体に追従移動する第２装飾体と、を備え、
Ｋ　前記第２装飾体は、往復移動する過程で前記一の支持機構の前方に位置するように移動し、
Ｌ　前記入賞口は、前記遊技盤の略左右中央で且つ前記センター部材の直下且つアウト口の直上に配置され、
Ｍ　前記大入賞口は、前記入賞口より右方で且つ前記図柄表示装置を避けた位置に配置されている
Ｎ　ことを特徴とする遊技機。」
（２）刊行物１に記載された発明
ア　原査定の拒絶理由において提示された、本願の出願前に頒布された刊行物である特開２００８−１９４３１３号公報（以下「刊行物１」という。）には、図面と共に次の事項が記載されている（下線は当審にて付した。以下同じ。）。
（ア）「【発明を実施するための最良の形態】
【００３２】
　以下、本発明を適用したパチンコ遊技機１０に係る第１実施形態を、図１〜図１７に基づいて説明する。図１に示すように、
本実施形態のパチンコ遊技機１０の遊技板１１には、ガイドレール１２で囲まれたほぼ円形の遊技領域Ｒ１が形成され、その遊技領域Ｒ１内に液晶表示画面３４（本発明の「表示画面」に相当する）が備えられている。遊技領域Ｒ１のうち液晶表示画面３４の下方領域のうち左右方向の中央部には、第１及び第２の始動入賞口１４Ａ、１４Ｂ、大入賞口１５及びアウト口１６が上から順番に並べて設けられ
【００３３】
　遊技板１１は前側を前面枠１０Ｚにて覆われ、その前面枠１０Ｚに形成されたガラス窓１０Ｗを通して遊技領域Ｒ１が前方に臨んでいる。前面枠１０Ｚのうちガラス窓１０Ｗの上方には左右に１対のスピーカ２５、２５が設けられ、ガラス窓１０Ｗより下方には、上皿２７Ａ及び下皿２７Ｂが上下２段にして設けられている。そして、下皿２７Ｂの右端部に備えた操作ノブ２８を回動操作すると、上皿２７Ａに収容された遊技球が遊技領域Ｒ１に向けて弾き出される。なお、上皿２７Ａに備えたボタン２９を押すと上皿２７Ａに収容されている遊技球が下皿２７Ｂへと移動する。」
（イ）「【００４１】
　
大入賞口１５は
常には、可動扉１５Ｔにて閉塞されている。パチンコ遊技機１０が「大当たり状態」になると
可動扉１５Ｔが所定期間に亘って前側に倒れる。これにより、大入賞口１５が開放され、可動扉１５Ｔを案内にして、大入賞口１５に多くの遊技球が入賞可能となる。
（ウ）「【００４４】
　さて、
遊技領域Ｒ１内に液晶表示画面３４を設けるために、図３に示すように遊技板１１には画像表示窓１１Ｗが貫通形成されている。その画像表示窓１１Ｗには、前面側から装飾枠２３が嵌合固定され、画像表示窓１１Ｗの後方側に本発明の「表示装置」に相当する液晶モジュール３３
が配置されている。液晶モジュール３３は
その横長矩形の前面の略全体が液晶表示画面３４になっている。
そして、その液晶モジュール３３の液晶表示画面３４が装飾枠２３を通して前方に臨んでおり、これにより、図１に示すように装飾枠２３に縁取られた液晶表示画面３４が遊技領域Ｒ１内に設けられている。
【００４５】
　ここで、
本実施形態のパチンコ遊技機１０では、遊技板１１と液晶モジュール３３との間に扉ユニット４０が設けられている。そして、扉ユニット４０に備えた第１〜第３の扉５１〜５３が、遊技の進行状況に応じて図２に示すように液晶表示画面３４を前方から覆うことができる
【００４６】
　
扉ユニット４０は、横長矩形の枠形状をなしたフレーム部材３５を備え、そのフレーム部材３５は
枠形ベース４１と枠形カバー４２とを組み付けてなる。そして、枠形ベース４１の後面側に第１の扉５１が組み付けられる
【００４７】
　図３に示すように
枠形カバー４２の
囲壁４２Ｃ
から側方に張り出した固定壁４２Ｂが遊技板１１の後面に固定されている。
フレーム部材３５の内側開口３５Ａに液晶表示画面３４が後方から宛がわれている。
（エ）「【００６２】
　・・・次に第１の扉５１の構成に関する説明を行う。第１の扉５１は、図８に示すように、第２及び第３の扉５２、５３の間に挟まれた枠形ベース４１の中央に配置されている。そして、
第１の扉５１は、一つの直動プレート７１
に複数の従動プレート７２
を連結してなり、上下方向に伸縮可能（開閉可能）な構造をなしている。
【００６３】
　具体的には、図１１及び図１２に示すように
直動プレート７１は、プレート本体７１Ａにガイドプレート７１Ｂ
を固定してなる。プレート本体７１Ａは、横長矩形の板状をなし、ガイドプレート７１Ｂはそのプレート本体７１Ａより薄肉細長の帯板状になっている。そして、プレート本体７１Ａの後側にガイドプレート７１Ｂが重ねられた状態に固定され、ガイドプレート７１Ｂがプレート本体７１Ａから両側方に延びている。
【００６４】
　図９に示すように、
フレーム部材３５には、ガイドプレート７１Ｂの両端部と係合可能な１対のガイド溝４６、４６
が形成されている。
ガイドプレート７１Ｂとガイド溝４６との案内により直動プレート７１がフレーム部材３５に対して上下方向に直動可能になっている。これにより、直動プレート７１が前後方向への移動を規制された状態で上下動する。
・・・
【００６５】
　図１２に示すように
複数の従動プレート７２は、直動プレート７１のプレート本体７１Ａと略同一の横長矩形の板状になし、プレート本体７１Ａの前側に重ねて配置されている。
従動連結機構７３Ｘ（図１４参照）によって隣り合った従動プレート７２同士がそれぞれ連結されると共に、最も直動プレート７１側に配置された従動プレート７２と直動プレート７１との間も同じ従動連結機構７３Ｘによって連結されている。
【００６６】
　図１４に示すように、
従動連結機構７３Ｘは、互いに前後で重ねられた従動プレート７２、７２同士又は従動プレート７２と直動プレート７１（図１２参照）とのうち前側の従動プレート７２の後面に形成された１対のレール部７３Ａ、７３Ａと、後側の従動プレート７２又は直動プレート７１の前面に形成された１対のスライド部７３Ｂ、７３Ｂとからなる。
【００６７】
　一方、
スライド部７３Ｂは
後側の従動プレート７２又は直動プレート７１の前面における左右両側縁部の上端部に配置され、円柱脚部７３Ｃの先端にそれより大径の係合円板７３Ｄを備えた形状になっている。
各スライド部７３Ｂの係合円板７３Ｄがレール部７３Ａの奥部に受容され、これにより、レール部７３Ａに対してスライド部７３Ｂが直動可能かつ抜け止め状態に係合している。
・・・
【００６９】
　図９に示すように、
枠形ベース４１の上辺４１Ｕにおける左右方向の中央部には、プレート収納部４５が備えられている。
・・・
【００７１】
　図９に示すように第１の扉５１の駆動源である縦開閉用モータ８０（本発明の「回転駆動源」に相当する）は、フレーム部材３５の上辺に取り付けられている。そして、その縦開閉用モータ８０と第１の扉５１における直動プレート７１との間が、図１１に示した本発明に係る回転直動変換機構８０Ｘによって連結されている。
【００７２】
　具体的には、図９に示すように、
縦開閉用モータ８０は、枠形ベース４１の回転軸を左右方向に向けた状態にして枠形ベース４１の上辺４１Ｕの上方に配置されている。また、その枠形ベース４１の回転出力軸には、リール８１が固定されている。
そして、直動巻回ベルト８５の一端部がリール８１に固定される一方、直動巻回ベルト８５の他端部が直動プレート７１に固定され、これらリール８１と直動巻回ベルト８５から回転直動変換機構８０Ｘが構成されている。
【００７３】
　直動巻回ベルト８５は、例えば、バネ合金製の板金であって、直線状に延びた状態で幅方向において円弧状（図１６の断面Ｓ１参照）に湾曲した構造になっている。なお、本実施形態の直動巻回ベルト８５は、長さを測るためのメジャーに用いられている金属帯材と同じである。
【００７４】
　直動巻回ベルト８５の一端部はリール８１（詳細には、円筒体８１Ａ）の外周面に接線方向を向けた状態にして固定されている。そして、直動巻回ベルト８５は、凹部を内側にしてリール８１に巻回される。また、直動巻回ベルト８５は、リール８１に巻回されると、幅方向において平坦（図１６の断面Ｓ２参照）になるように弾性変形される。ここで、直動巻回ベルト８５の弾性復元力により巻回された直動巻回ベルト８５が径方向に広がるように弾発力が作用する。そこで、リール８１の周囲がベルト押さえ８２に覆われている。そのベルト押さえ８２は、円環体の一部を切り欠いた形状をなし、径方向に弾性変形可能になっている。そして、ベルト押さえ８２は、切り欠き部分を後方斜め下側に向けた状態にしてフレーム部材３５に取り付けられ、リール８１の外周面を外側から覆っている。これにより、直動巻回ベルト８５の拡径を規制している。また、ベルト押さえ８２は、直動巻回ベルト８５の巻回量が増すに従ってその直動巻回ベルト８５に押されてリール８１から離れる側に弾性変形し、直動巻回ベルト８５に過剰な負荷が掛からないようになっている。
【００７５】
　直動巻回ベルト８５は、ベルト押さえ８２の切り欠き部分を通して、リール８１の後方部から外周面の接線方向下方に向かって引き延ばされている。また、
枠形ベース４１のうちプレート収納部４５（図９参照）の上面壁（図示せず）には、図示しないベルト挿通孔が形成され、直動巻回ベルト８５はそのベルト挿通孔を通って直動プレート７１へと延びている。その直動巻回ベルト８５の先端部は、図１２に示すように直動プレート７１におけるプレート本体７１Ａとガイドプレート７１Ｂとの間に挟んだ状態にして固定されている。
【００７６】
　そして、
縦開閉用モータ８０によりリール８１を一方に回転駆動して直動巻回ベルト８５を巻き取ると、直動プレート７１が上端位置（本発明の「終端位置」に相当する）に移動してプレート収納部４５内に収納され（図６参照）、縦開閉用モータ８０によりリール８１を他方に回転駆動して直動巻回ベルト８５をリール８１から延ばすと、ガイドプレート７１Ｂとガイド溝４６の下端部とが当接する下端位置
まで移動する
【００７７】
　ここで、
直動プレート７１が上下動すると、それに従動して従動プレート７２群も上下動する。
図９に示すように隣り合った従動プレート７２同士、従動プレート７２とプレート収納部４５、従動プレート７２と直動プレート７１とがそれぞれずれた状態に保持され、第１の扉５１が、枠形ベース４１の上辺４１Ｕから枠形ベース４１の下辺４１Ｄ寄り位置まで延びた状態になる。これにより図２に示すように液晶表示画面３４のうち中特別図柄１３Ｂを上下にスクロール表示する中領域３４Ｂの一部が第１の扉５１によって前方から覆われた全閉状態になる。
【００７８】
　
第１の扉５１が全閉状態で、縦開閉用モータ８０にてリール８１を一方に回転駆動すると、直動巻回ベルト８５がリール８１に巻き取とられて直動プレート７１が上昇する。このとき、全ての従動プレート７２が静止した状態なり、直動プレート７１と下端側の従動プレート７２との間の従動連結機構７３Ｘにおいて、スライド部７３Ｂがレール部７３Ａ内を移動する。そして、図１０（Ａ）に示すように、同図の下端側の直動プレート７１と直動プレート７１とが完全に重なった状態になる。
この状態でさらに直動プレート７１をさらに上昇すると、図１０（Ｂ）に示すように下端側の従動プレート７２と直動プレート７１とが一体になって上昇し、やがて下端側２つの従動プレート７２、７２と直動プレート７１とが完全に重なった状態になる（図示せず）。この状態からさらに直動プレート７１を上昇させると、下端側２つの従動プレート７２、７２と直動プレート７１とが一体になって上昇し、３つの従動プレート７２全てと直動プレート７１とが完全に重なった状態になり、さらに上昇してプレート収納部４５内に第１の扉５１が収納される。
【００７９】
　
第１の扉５１がプレート収納部４５に収納された状態で縦開閉用モータ８０にてリール８１を他方に回転駆動すると、上記動作と逆の動作を行い、従動プレート７２群と直動プレート７１とが徐々に展開されて行き、図９に示した閉鎖状態に戻る。
（オ）「【図面の簡単な説明】
【００８６】
・・・
【図９】扉ユニットの第１の扉を全閉した状態の斜視図
【図１０】扉ユニットの第１の扉を半開きにした状態の斜視図」
イ　刊行物１の図面には以下の事項が記載されている。
（ア）図２から、遊技板１１の略左右中央で、装飾枠２３の直下かつ大入賞口１５及びアウト口１６の直上に第１及び第２の始動入賞口１４Ａ、１４Ｂが設けられることがみてとれる。
（イ）図９には、上記【００７７】の「図９に示すように・・・液晶表示画面３４のうち中特別図柄１３Ｂを上下にスクロール表示する中領域３４Ｂの一部が第１の扉５１によって前方から覆われた全閉状態になる。」との記載、及び上記【００８６】の「扉ユニットの第１の扉を全閉した状態の斜視図」なる記載によれば、全閉状態における第１の扉５１の状態が記載されている。該図から、この状態で最も下端にある従動プレート７２は、直動プレート７１（のプレート本体７１Ａ）に隣接して前面側に位置する従動プレート７２であることを読み取ることができる。
（ウ）図９〜１２には、第１の扉５１を構成する従動プレート７２及び直動プレート７１のプレート本体７１Ａの前面側に装飾が施されていることが記載されている。
ウ　上記アの各記載事項及び上記イで認定した図面の記載事項から、以下の事項が導かれる。
（あ）上記【００３２】には「本実施形態のパチンコ遊技機１０の遊技板１１には、ガイドレール１２で囲まれたほぼ円形の遊技領域Ｒ１が形成され、その遊技領域Ｒ１内に液晶表示画面３４（本発明の「表示画面」に相当する）が備えられている。」と記載され、上記【００４４】には「遊技領域Ｒ１内に液晶表示画面３４を設けるために、図３に示すように遊技板１１には画像表示窓１１Ｗが貫通形成されている。その画像表示窓１１Ｗには、前面側から装飾枠２３が嵌合固定され、画像表示窓１１Ｗの後方側に本発明の「表示装置」に相当する液晶モジュール３３・・・が配置されている。液晶モジュール３３は・・・その横長矩形の前面の略全体が液晶表示画面３４になっている。・・・そして、その液晶モジュール３３の液晶表示画面３４が装飾枠２３を通して前方に臨んでおり、これにより、図１に示すように装飾枠２３に縁取られた液晶表示画面３４が遊技領域Ｒ１内に設けられている。」と記載されている。
　これらから、刊行物１には、遊技板１１と、該遊技板１１の遊技領域Ｒ１に貫通形成された画像表示窓１１Ｗに嵌合固定された装飾枠２３と、該装飾枠２３を通して前方に臨む液晶表示画面３４と、を備えるパチンコ遊技機１０、が記載されているといえる。
（い）上記【００４５】には「本実施形態のパチンコ遊技機１０では、遊技板１１と液晶モジュール３３との間に扉ユニット４０が設けられている。そして、扉ユニット４０に備えた第１〜第３の扉５１〜５３が、遊技の進行状況に応じて図２に示すように液晶表示画面３４を前方から覆うことができる」と記載されている。
　ここで、「液晶モジュール３３は・・・その横長矩形の前面の略全体が液晶表示画面３４になっている」（【００４４】）のであるから、刊行物１には、パチンコ遊技機１０がさらに、遊技板１１と液晶表示画面３４との間に配置される扉ユニット４０の第１の扉５１を備えること、が記載されているといえる。
（う）上記【００４６】には「扉ユニット４０は横長矩形の枠形状をなしたフレーム部材３５を備え、そのフレーム部材３５は・・・枠形ベース４１と枠形カバー４２とを組み付けてなる。そして、枠形ベース４１の後面側に第１の扉５１が組み付けられる」と記載され、上記【００４７】には「枠形カバー４２の・・・囲壁４２Ｃ・・・から側方に張り出した固定壁４２Ｂが遊技板１１の後面に固定されている。・・・フレーム部材３５の内側開口３５Ａに液晶表示画面３４が後方から宛がわれている。」と記載されている。（以下「記載事項う１」という。）
　該記載事項う１から、刊行物１には、フレーム部材３５を構成する枠形カバー４２の固定壁４２Ｂが遊技板１１の後面に固定されている、すなわち、フレーム部材３５は遊技板１１の後面に固定されていること、が記載されているといえる。
　また、刊行物１には、横長矩形の枠形状をなしたフレーム部材３５の内側開口３５Ａに液晶表示画面３４が後方から宛がわれている、すなわち、フレーム部材３５及びそれを構成する枠形ベース４１と枠形カバー４２の矩形枠に囲まれた内側開口３５Ａの後方に液晶表示画面３４が設けられていること、逆に言えば、液晶表示画面３４の上下左右はフレーム部材３５及びそれを構成する枠形ベース４１と枠形カバー４２の矩形枠に囲まれていること、が記載されているといえる。（以下「認定事項う１」という。）
　また、上記【００６２】〜【００６９】には、「第１の扉５１は、一つの直動プレート７１・・・に複数の従動プレート７２・・・を連結してなり、上下方向に伸縮可能（開閉可能）な構造をなしている。・・・従動連結機構７３Ｘ（図１４参照）によって隣り合った従動プレート７２同士がそれぞれ連結されると共に、最も直動プレート７１側に配置された従動プレート７２と直動プレート７１との間も同じ従動連結機構７３Ｘによって連結されている。・・・従動連結機構７３Ｘは、互いに前後で重ねられた従動プレート７２、７２同士又は従動プレート７２と直動プレート７１（図１２参照）とのうち前側の従動プレート７２の後面に形成された１対のレール部７３Ａ、７３Ａと、後側の従動プレート７２又は直動プレート７１の前面に形成された１対のスライド部７３Ｂ、７３Ｂとからなる。・・・スライド部７３Ｂは・・・後側の従動プレート７２又は直動プレート７１の前面における左右両側縁部の上端部に配置され、円柱脚部７３Ｃの先端にそれより大径の係合円板７３Ｄを備えた形状になっている。・・・各スライド部７３Ｂの係合円板７３Ｄがレール部７３Ａの奥部に受容され、これにより、レール部７３Ａに対してスライド部７３Ｂが直動可能かつ抜け止め状態に係合している。・・・枠形ベース４１の上辺４１Ｕにおける左右方向の中央部には、プレート収納部４５が備えられている。」と記載されている。（以下「記載事項う２」という。）
　
　また、上記【００７２】〜【００７６】には、「縦開閉用モータ８０は、枠形ベース４１の回転軸を左右方向に向けた状態にして枠形ベース４１の上辺４１Ｕの上方に配置されている。また、その枠形ベース４１の回転出力軸には、リール８１が固定されている。・・・そして、直動巻回ベルト８５の一端部がリール８１に固定される一方、直動巻回ベルト８５の他端部が直動プレート７１に固定され、これらリール８１と直動巻回ベルト８５から回転直動変換機構８０Ｘが構成されている。・・・縦開閉用モータ８０によりリール８１を一方に回転駆動して直動巻回ベルト８５を巻き取ると、直動プレート７１が上端位置・・・に移動してプレート収納部４５内に収納され（図６参照）、縦開閉用モータ８０によりリール８１を他方に回転駆動して直動巻回ベルト８５をリール８１から延ばすと、ガイドプレート７１Ｂとガイド溝４６の下端部とが当接する下端位置・・・まで移動する」と記載されている。（以下「記載事項う３」という。）
　上記記載事項う２・う３から、刊行物１には、「第１の扉５１は一枚の直動プレート７１と複数の従動プレート７２を連結してなり」、「枠形ベース４１の上辺４１Ｕの上方に配置されている」「縦開閉用モータ８０により」回転駆動されるリール８１に一端部が固定される「直動卷回ベルト８５の他端部が前記直動プレート７１に固定され」、「最も直動プレート７１側に配置された従動プレート７２と直動プレート７１との間」及び「隣り合った従動プレート７２同士がそれぞれ」、「互いに前後で重ねられた従動プレート７２、７２同士又は従動プレート７２と直動プレート７１」「とのうち前側の従動プレート７２の後面に形成された１対のレール部７３Ａ、７３Ａと、後側の従動プレート７２又は直動プレート７１の前面に形成された１対の」、「円柱脚部７３Ｃの先端にそれより大径の係合円板７３Ｄを備えた形状」の「スライド部７３Ｂ、７３Ｂとからなる」「従動連結機構７３Ｘによって連結されている。」ことが記載されているといえる。（以下「認定事項う２」という。）
　該認定事項う２から、一枚の直動プレート７１と複数の従動プレート７２からなる第１の扉５１を支持しているのは、枠形ベース４１の上辺４１Ｕの上方に配置されている縦開閉用モータ８０と、該縦開閉用モータ８０により回転駆動されるリール８１に一端部が固定され、他端部を直動プレート７１に固定した直動卷回ベルト８５、第１の扉５１のうち直動プレート７１から最も離れた側の従動プレート７２の前面に形成された１対のスライド部７３Ｊ、７３Ｊとプレート収納部４５の前面壁４５Ｆに貫通形成された１対のレール部７３Ｈ、７３Ｈとからなる従動連結機構７３Ｙ、からなる相互に固定されたひとまとまりの機構であるということができる。（以下「認定事項う３」という。）
　また、上記認定事項う１から、矩形ベース４１の矩形枠は液晶表示画面３４の上下左右を囲むものであるので、前記認定事項う２の、前記縦開閉用モータ８０およびリール８１が固定される「枠形ベース４１の上辺４１Ｕ」は液晶表示画面３４の上側に位置するといえる。（以下「認定事項う４」という。）
　よって、前記認定事項う３・う４から、刊行物１には、液晶表示画面３４の上側に位置する枠形ベース４１の上辺４１Ｕに固定された縦開閉用モータ８０およびリール８１、該リール８１に一端部が固定された直動卷回ベルト８５からなる、相互に固定されたひとまとまりの、第１の扉５１を支持する機構、が記載されているといえる。
　ところで、上記【００６３】には「直動プレート７１は、プレート本体７１Ａにガイドプレート７１Ｂ・・・を固定してなる。プレート本体７１Ａは、横長矩形の板状をなし、ガイドプレート７１Ｂはそのプレート本体７１Ａより薄肉細長の帯板状になっている。そして、プレート本体７１Ａの後側にガイドプレート７１Ｂが重ねられた状態に固定され、ガイドプレート７１Ｂがプレート本体７１Ａから両側方に延びている。」と記載されていることから、刊行物１には、前記第１の扉５１の直動プレート７１のプレート本体７１Ａの後方には、上記「縦開閉用モータ８０およびリール８１、該リール８１に一端部が固定された直動卷回ベルト８５」のうちの直動卷回ベルト８５以外に、「薄肉細長の帯板状」で「プレート本体７１Ａから両側方に延びている」ガイドプレート７１Ｂが固定されること、が記載されているといえる。（以下「認定事項う５」という。）
　また、上記【００６４】には、「フレーム部材３５には、ガイドプレート７１Ｂの両端部と係合可能な１対のガイド溝４６、４６・・・が形成されている。・・・ガイドプレート７１Ｂとガイド溝４６との案内により直動プレート７１がフレーム部材３５に対して上下方向に直動可能になっている。これにより、直動プレート７１が前後方向への移動を規制された状態で上下動する。」と記載されている。
　この記載事項から、前記認定事項う５の「ガイドプレート７１Ｂ」は、フレーム部材３５の一対のガイド溝４６、４６の案内により、直動プレート７１が上下動する際に、該直動プレート７１を案内し、該直動プレート７１が前後方向への移動を規制するための部材であるといえる。
（え）上記【００３２】には「パチンコ遊技機１０の遊技板１１には、ガイドレール１２で囲まれたほぼ円形の遊技領域Ｒ１が形成され・・・遊技領域Ｒ１のうち液晶表示画面３４の下方領域のうち左右方向の中央部には、第１及び第２の始動入賞口１４Ａ、１４Ｂ、大入賞口１５及びアウト口１６が上から順番に並べて設けられ」と記載されている。
　また、【００４１】には、「大入賞口１５は・・・常には、可動扉１５Ｔにて閉塞されている。パチンコ遊技機１０が「大当たり状態」になると・・・可動扉１５Ｔが所定期間に亘って前側に倒れる。これにより、大入賞口１５が開放され、可動扉１５Ｔを案内にして、大入賞口１５に多くの遊技球が入賞可能となる。」と記載されている。
　よって、刊行物１には、パチンコ遊技機１０がアウト口１６、第１及び第２の始動入賞口１４Ａ・１４Ｂ、大当たり状態になると可動扉１５Ｔが開放される大入賞口１５、を備えること、および、該大入賞口１５が第１及び第２の始動入賞口１４Ａ、１４Ｂの直下に設けられること、が記載されているといえる。
（お）上記【００４５】には「扉ユニット４０に備えた第１〜第３の扉５１〜５３が、遊技の進行状況に応じて図２に示すように液晶表示画面３４を前方から覆うことができる」と記載されている。
　よって、刊行物１には、第１の扉５１が液晶表示画面３４の前方に位置することが記載されているといえる。（以下「認定事項お１」という。）
　また、上記【００６２】には「第１の扉５１は、一つの直動プレート７１・・・に複数の従動プレート７２・・・を連結してなり」と、【００６５】には「複数の従動プレート７２は、直動プレート７１のプレート本体７１Ａと略同一の横長矩形の板状になし、プレート本体７１Ａの前側に重ねて配置されている。」と記載され、【００６３】には「直動プレート７１は、プレート本体７１Ａにガイドプレート７１Ｂ・・・を固定してなる。・・・プレート本体７１Ａの後側にガイドプレート７１Ｂが重ねられた状態に固定され」と、【００７５】には「枠形ベース４１のうちプレート収納部４５（図９参照）の上面壁（図示せず）には、図示しないベルト挿通孔が形成され、直動巻回ベルト８５はそのベルト挿通孔を通って直動プレート７１へと延びている。その直動巻回ベルト８５の先端部は、図１２に示すように直動プレート７１におけるプレート本体７１Ａとガイドプレート７１Ｂとの間に挟んだ状態にして固定されている。」と、それぞれ記載されている。
　これら記載から、刊行物１には、第１の扉５１の各プレートと直動卷回ベルト８５との関係について、第１の扉５１を構成する直動プレート７１と複数の従動プレート７２とは、直動プレート７１を最も後ろ側として、その前側に複数の従動プレート７２が重ねて配置される関係にあり（【００６２】【００６５】）、そのうち最も後ろ側にある直動プレート７１はプレート本体７１Ａと、その後側に重ねられたガイドプレート７１Ｂとからなり（【００６３】【００６５】）、直動巻回ベルト８５は直動プレート７１へと延び、その先端部がプレート本体７１Ａとガイドプレート７１Ｂとの間に挟んだ状態にして固定されている（【００７５】）、ことが記載されているといえ、この関係は該各プレート（７１、７２）の上下動を通じて変わらないことが明らかであるから、ここからさらに、上記（う）で「第１の扉５１を支持する機構」に含まれるとした「直動卷回ベルト８５」の前側に、上下動を通じて、第１の扉５１を構成する各従動プレート７２及び直動プレート７１のプレート本体７１Ａとが位置していることが記載されているといえる。（以下「認定事項お２」という。）
　また、上記【００７７】には、「直動プレート７１が上下動すると、それに従動して従動プレート７２群も上下動する。・・・図９に示すように隣り合った従動プレート７２同士、従動プレート７２とプレート収納部４５、従動プレート７２と直動プレート７１とがそれぞれずれた状態に保持され、第１の扉５１が、枠形ベース４１の上辺４１Ｕから枠形ベース４１の下辺４１Ｄ寄り位置まで延びた状態になる。これにより図２に示すように液晶表示画面３４のうち中特別図柄１３Ｂを上下にスクロール表示する中領域３４Ｂの一部が第１の扉５１によって前方から覆われた全閉状態になる。」と（以下「記載事項お１」という。）、上記【００７８】には、「第１の扉５１が全閉状態で、縦開閉用モータ８０にてリール８１を一方に回転駆動すると、直動巻回ベルト８５がリール８１に巻き取とられて直動プレート７１が上昇する。このとき、全ての従動プレート７２が静止した状態なり、直動プレート７１と下端側の従動プレート７２との間の従動連結機構７３Ｘにおいて、スライド部７３Ｂがレール部７３Ａ内を移動する。そして、図１０（Ａ）に示すように、同図の下端側の直動プレート７１と直動プレート７１とが完全に重なった状態になる。」（以下「記載事項お２」という。）、「この状態でさらに直動プレート７１をさらに上昇すると、図１０（Ｂ）に示すように下端側の従動プレート７２と直動プレート７１とが一体になって上昇し、やがて下端側２つの従動プレート７２、７２と直動プレート７１とが完全に重なった状態になる（図示せず）。この状態からさらに直動プレート７１を上昇させると、下端側２つの従動プレート７２、７２と直動プレート７１とが一体になって上昇し、３つの従動プレート７２全てと直動プレート７１とが完全に重なった状態になり、さらに上昇してプレート収納部４５内に第１の扉５１が収納される。」（以下「記載事項お３」という。）と、それぞれ記載されている。
　また、上記【００７９】には「第１の扉５１がプレート収納部４５に収納された状態で縦開閉用モータ８０にてリール８１を他方に回転駆動すると、上記動作と逆の動作を行い、従動プレート７２群と直動プレート７１とが徐々に展開されて行き、図９に示した閉鎖状態に戻る。」と記載されている（以下「記載事項お４」という。）。
　ここで、前記記載事項お２において、「図１０（Ａ）に示すように、同図の下端側の直動プレート７１と直動プレート７１とが完全に重なった状態になる。」なる記載事項は、一枚しか存在しない同一の「直動プレート７１」どうしが「完全に重なった状態になる」ということが起こり得ないことから誤記を含むことが明白であり、続く前記記載事項お３の「下端側の従動プレート７２と直動プレート７１とが一体になって上昇し、やがて下端側２つの従動プレート７２、７２と直動プレート７１とが完全に重なった状態になる」なる記載との対比から、正しくは「図１０（Ａ）に示すように、同図の下端側の
従動
７２
「第１の扉５１が全閉状態で、縦開閉用モータ８０にてリール８１を一方に回転駆動すると、直動巻回ベルト８５がリール８１に巻き取とられて直動プレート７１が上昇する。このとき、全ての従動プレート７２が静止した状態なり、直動プレート７１と下端側の従動プレート７２との間の従動連結機構７３Ｘにおいて、スライド部７３Ｂがレール部７３Ａ内を移動する。そして、図１０（Ａ）に示すように、同図の下端側の従動プレート７２と直動プレート７１とが完全に重なった状態になる。」（以下「記載事項お２’」という。）
のとおりに認定する。
　前記各記載事項お１、お２’、お３において、直動プレート７１の動きに着目すると、刊行物１には、前記記載事項お１における、「従動プレート７２とプレート収納部４５、従動プレート７２と直動プレート７１とがそれぞれずれ」、「液晶表示画面３４のうち中特別図柄１３Ｂを上下にスクロール表示する中領域３４Ｂの一部が第１の扉５１によって前方から覆われた全閉状態」に対応する、いわば最も下方に下がった位置と、前記記載事項お２’に対応する、前記「最も下方に下がった位置」から直動プレート７１が上昇し、「下端側の従動プレート７２と直動プレート７１とが完全に重なった状態になる」位置と、前記記載事項お３に対応する、「３つの従動プレート７２全てと直動プレート７１とが完全に重なった状態」との、３つの状態をとりつつ上下動する（記載事項お１）ことが記載されているといえる。（以下「認定事項お３」という。）
　また、該各記載事項お１、お２’、お３、お４において、従動プレート７２のうち、直動プレート７１（のプレート本体７１Ａ）に隣接して前面側にある従動プレート７２（上記イの図９記載事項参照）の動きに着目すると、次のとおりである。
　まず、前記記載事項お２’における「下端側の従動プレート７２」が当該「直動プレート７１（のプレート本体７１Ａ）に隣接して前面側にある従動プレート７２」に対応する。
　また、前記記載事項お３において、前記直動プレート７１が「最も下方に下がった位置」から「下端側の従動プレート７２と直動プレート７１とが完全に重なった状態」にまで上昇する間、該「下端側の従動プレート７２」は静止していることが明らかであり、その後「この状態でさらに直動プレート７１をさらに上昇すると・・・下端側の従動プレート７２と直動プレート７１とが一体になって上昇し、やがて下端側２つの従動プレート７２、７２と直動プレート７１とが完全に重なった状態になる（図示せず）。この状態からさらに直動プレート７１を上昇させると、下端側２つの従動プレート７２、７２と直動プレート７１とが一体になって上昇し、３つの従動プレート７２全てと直動プレート７１とが完全に重なった状態にな」（記載事項お３）るまでの間、前記下端側の従動プレート７２と直動プレート７１とは常に一体に上昇することが明らかといえる。
　また、上記記載事項お１、お２’、お３は、可動プレート７１と従動プレート７２とが上昇する場合の動きを記述したものであるが、上記記載事項お４には、「プレート収納部４５に収納された状態で縦開閉用モータ８０にてリール８１を他方に回転駆動すると」、すなわち、リールを上記記載事項お１、お２’、お３の各プレートを上昇させる場合に対し「他方」つまり逆に回転させて該各プレートを下降させる場合には、「上記動作と逆の動作を行い」すなわち、上記記載事項お１、お２’、お３の動きを逆に辿る動作を行うことが記載されているといえるから、プレートの下降時には、前記「前記下端側の従動プレート７２」と直動プレート７１とは、前記「３つの従動プレート７２全てと直動プレート７１とが完全に重なった状態」から、前記「下端側の従動プレート７２と直動プレート７１とが完全に重なった状態」までの間、「一体になって」下降するといえる。
　よって、前記「下端側の従動プレート７２」は、上下動何れにおいても、前記「３つの従動プレート７２全てと直動プレート７１とが完全に重なった状態」から、前記「下端側の従動プレート７２と直動プレート７１とが完全に重なった状態」までの間、「一体になって」移動するといえる。（以下「認定事項お４」という。）
　よって、刊行物１には、前記記載事項お２’に対応する「下端側の従動プレート７２と直動プレート７１とが完全に重なった状態になる」位置と、前記記載事項お３に対応する、「３つの従動プレート７２全てと直動プレート７１とが完全に重なった状態」との、２つの状態の間で、直動プレート７１と一体となって上下動する（記載事項お１）ことが記載されているといえる。（以下「認定事項お５」という。）
　また、上記イのとおり図９〜１２には、第１の扉５１を構成する従動プレート７２及び直動プレート７１のプレート本体７１Ａの前面側に装飾が施されていることが記載されている。（以下「認定事項お６」という。）
　以上の認定事項お１〜６によると、刊行物１には、
　液晶表示画面３４の前方（認定事項お１）、かつ、上下動を通じて第１の扉５１を支持する機構（う）を構成する直動卷回ベルト８５の前側に位置し（認定事項お２）、「液晶表示画面３４のうち中特別図柄１３Ｂを上下にスクロール表示する中領域３４Ｂの一部が第１の扉５１によって前方から覆われた全閉状態」に対応する、いわば最も下方に下がった第１の位置と、前記「最も下方に下がった位置」から直動プレート７１が上昇し、前記第１の扉５１を構成する複数の従動プレート７２のうち直動プレート７１（のプレート本体７１Ａ）に隣接して前面側にある「下端側の従動プレート７２と直動プレート７１とが完全に重なった状態になる」第２の位置と、「３つの従動プレート７２全てと直動プレート７１とが完全に重なった状態」にあたる第３の位置との、３つの位置の間を上下動する（認定事項お３）、第１の扉５１を構成する直動プレート７１の（認定事項お２）、装飾が施された（認定事項お５）プレート本体７１Ａと、
　上下動を通じて第１の扉５１を支持する機構（う）を構成する直動卷回ベルト８５の前側に位置し（認定事項お２）、前記第２の位置と、前記第１の位置との、２つの位置の間を、直動プレート７１と一体となって上下動する（認定事項お３、お４）、第１の扉５１を構成する複数の従動プレート７２のうち直動プレート７１（のプレート本体７１Ａ）に隣接して前面側にある（認定事項お５）、装飾が施された（認定事項お６）従動プレート７２と、
を備えることが記載されているといえる。
（か）上記【００３２】には「遊技領域Ｒ１のうち液晶表示画面３４の下方領域のうち左右方向の中央部には、第１及び第２の始動入賞口１４Ａ、１４Ｂ、大入賞口１５及びアウト口１６が上から順番に並べて設けられ」と記載され、上記イのとおり図２には、遊技板１１の略左右中央で、装飾枠２３の直下かつ大入賞口１５及びアウト口１６の直上に第１及び第２の始動入賞口１４Ａ、１４Ｂが設けられることが記載されているといえる。
　よって、刊行物１には、第１及び第２の始動入賞口１４Ａ、１４Ｂが、遊技板の略左右中央で装飾枠２３の直下かつアウト口の直上に設けられることが記載されているといえる。
エ　上記アの各記載事項、上記イ・ウの認定事項から、刊行物１には次の発明（以下「刊行物１発明」という。）が記載されていると認められる（ａ〜ｎは、本件補正発明のＡ〜Ｎに対応させて付与した。）。
「ａ　遊技板１１と、（あ）
ｂ　前記遊技板１１の遊技領域Ｒ１に貫通形成された画像表示窓１１Ｗに嵌合固定された装飾枠２３と、（あ）
ｃ　前記装飾枠２３を通して前方に臨む液晶表示画面３４と、（あ）
ｄ　前記遊技板１１と前記液晶表示画面３４との間に配置される扉ユニット４０の第１の扉５１と、（い）
ｅ　液晶表示画面３４の上側に位置する枠形ベース４１の上辺４１Ｕに固定された縦開閉用モータ８０およびリール８１、該リール８１に一端部が固定された直動卷回ベルト８５からなる、相互に固定されたひとまとまりの、第１の扉５１を支持する機構と、（う）
ｆ　アウト口１６と、（え）
ｇ　第１及び第２の始動入賞口１４Ａ・１４Ｂと、（え）
ｈ　大当たり状態になると可動扉１５Ｔが開放される大入賞口１５を備えたパチンコ遊技機１０であって、（あ、え）
ｉ　第１の扉５１は、
　前記液晶表示画面３４の前方、かつ、上下動を通じて前記第１の扉５１を支持する機構を構成する直動卷回ベルト８５の前側に位置し、
　前記液晶表示画面３４のうち中特別図柄１３Ｂを上下にスクロール表示する中領域３４Ｂの一部が前記第１の扉５１によって前方から覆われた全閉状態に対応する、最も下方に下がった第３の位置と、該最も下方に下がった位置から前記第１の扉５１の直動プレート７１が上昇し、前記第１の扉５１を構成する複数の従動プレート７２のうち前記直動プレート７１に隣接して前面側にある下端側の従動プレート７２と前記直動プレート７１とが完全に重なった状態になる第２の位置と、３つの従動プレート７２全てと直動プレート７１とが完全に重なった状態にあたる第１の位置との、３つの位置の間を上下動する、前記直動プレート７１の、装飾が施されたプレート本体７１Ａと、（お）
ｊ　前記第２の位置と、前記第１の位置との、２つの位置の間を、直動プレート７１と一体となって上下動する、第１の扉５１を構成する複数の従動プレート７２のうち直動プレート７１のプレート本体７１Ａに隣接して前面側にある、装飾が施された従動プレート７２と、を備え、（お）
ｋ　前記第１の扉５１を構成する複数の従動プレート７２のうち直動プレート７１に隣接して前面側にある、装飾が施された従動プレート７２は、上下動を通じて前記第１の扉５１を支持する機構を構成する直動卷回ベルト８５の前側に位置し、（お）
ｌ　第１及び第２の始動入賞口１４Ａ、１４Ｂが、遊技板の略左右中央で装飾枠２３の直下かつアウト口の直上に設けられ、（か）
ｍ　大入賞口１５が第１及び第２の始動入賞口１４Ａ、１４Ｂの直下に設けられる、（え）
ｎ　パチンコ遊技機。（あ）」
（３）刊行物２に記載された技術事項
ア　原査定の拒絶理由において提示された、本願の出願前に頒布された刊行物である特開２０１０−１１９７３０号公報（以下「刊行物２」という。）には、図面と共に次の事項が記載されている（下線は当審にて付した。以下同じ。）。
（ア）「【００１１】
　前記透明板２２には、裏ユニット３０に配設された図柄表示装置１７の表示面１７ａに対応して前後に開口する図示しない装着口（表示部開口）が形成されており、該装着口に対して枠状装飾体７０が配設される。透明板２２の前面には、図２に示す如く、枠状装飾体７０より下方位置に、遊技領域２０ａを流下するパチンコ球が入賞可能な始動入賞装置２５や特別入賞装置２６が配設されており、始動入賞装置２５の始動入賞口２５ａにパチンコ球が入賞することで、図柄表示装置１７の表示面１７ａで図柄変動が開始されるようになっている。また、
特別入賞装置２６は、入賞口が開閉扉２６ａで常には閉鎖されており、図柄表示装置１７での図柄変動の結果、図柄表示装置１７に所定の図柄組み合わせ（例えば同一図柄の三つ揃い等）で図柄が停止表示されることで所謂「大当り」が発生し、これにより開閉扉２６ａが開放して入賞口への入賞により多数の賞球を獲得し得るようになっている。
・・・
【００１４】
　図４に示すように、前記裏ユニット３０の前側には、略矩形状に開設された裏ユニット開口部３０ａの開口縁四辺に対応して複数の内周装飾部４０、５０、６０、６０が配設されている。また、複数の内周装飾部４０、５０、６０、６０は、遊技盤２０における遊技領域２０ａの中央部において、図柄表示装置１７の表示面１７ａにおける図柄変動ゲームが表示される領域（図柄変動領域）としての表示部２０ｂを画成している。なお前述した透明板２２の装着口は、表示部２０ｂに重なる部位に設けられる。」
イ　刊行物２の図面には以下の事項が記載されている。
（ア）図１からは、遊技盤上の各種装置の配置関係として、図柄表示装置１７の表示部２０ｂ（【００１４】）の略左右中央部直下に始動入賞装置２５の始動入賞口２５ａ（【００１１】）が設けられるとともに、その右方でかつ図柄表示装置１７の表示部２０ｂに重ならない位置に、特別入賞装置２６を設けることを読み取ることができる。
ウ　上記アの各記載事項及び上記イで認定した図面の記載事項から、以下の事項が導かれる。
（あ）上記【００１１】に「特別入賞装置２６は、入賞口が開閉扉２６ａで常には閉鎖されており、図柄表示装置１７での図柄変動の結果、図柄表示装置１７に所定の図柄組み合わせ（例えば同一図柄の三つ揃い等）で図柄が停止表示されることで所謂「大当り」が発生し、これにより開閉扉２６ａが開放して入賞口への入賞により多数の賞球を獲得し得るようになっている。」なる記載があることから、該「特別入賞装置２６」は、常時は閉成され、「大当たり」の際に開成される入賞口であるといえる。
　よって、このことと上記イ（ア）の認定事項とから、刊行物２には、常時は閉成され、「大当たり」の際に開成される入賞口である「特別入賞装置２６」が、図柄表示装置１７の表示部２０ｂの略左右中央部直下に設けられた始動入賞装置２５の始動入賞口２５ａの右方でかつ図柄表示装置１７の表示部２０ｂに重ならない位置に設けられること、が記載されているといえる。
（４）対比
　本件補正発明と刊行物１発明とを、分説に従い対比する。（以下、刊行物１発明の各構成については単に「構成ａ」などといい、本件補正発明の各構成は単に「構成Ａ」などということがある。また、請求項の記載事項を引用する際などに、改行を「／」に置き換えることがある。）
ア　刊行物１発明における構成ａの「遊技板１１」は本件補正発明の構成Ａの「遊技盤」に相当することが明らかである。
イ　刊行物１発明における構成ｂの「前記遊技板１１の遊技領域Ｒ１に貫通形成された画像表示窓１１Ｗに嵌合固定された」は、本件補正発明の構成Ｂの「前記遊技盤に配置され」に相当する。
　また、前記構成ｂの「装飾枠２３」は「前記遊技板１１の遊技領域Ｒ１に貫通形成された画像表示窓１１Ｗに嵌合固定された」「枠」であるとともに、同構成ｃによれば「液晶表示画面３４」が前記「装飾枠２３を通して前方に臨む」ものであるから、該「装飾枠２３」が開口を有する部材であることは明らかである。
　よって、前記構成ｂの「前記遊技板１１の遊技領域Ｒ１に貫通形成された画像表示窓１１Ｗに嵌合固定された装飾枠２３」は、本件補正発明の構成Ｂの「前記遊技盤に配置され開口を有するセンター部材」に相当する。
ウ　刊行物１発明における構成ｃの「前記装飾枠２３を通して前方に臨む液晶表示画面３４」は、本件補正発明の構成Ｃの「前記センター部材の開口をのぞんで配置された図柄表示装置」に相当する。
エ　刊行物１発明における構成ｄにおける「扉ユニット４０の第１の扉５１」は本件補正発明の構成Ｄの「可動盤面部品」に相当する。
　また、液晶表示画面３４が前記構成ｃにおいて、遊技板１１に貫通形成された画像表示窓１１Ｗに嵌合固定された装飾枠２３を通して前方に臨むものである、すなわち装飾枠２３の後方に位置するものであるから、前記構成ｄで前記「扉ユニット４０の第１の扉５１」が「前記遊技板１１と前記液晶表示画面３４との間に配置される」ことは、該「扉ユニット４０の第１の扉５１」が遊技板１１およびそれに嵌合された装飾枠２３の後方に配置されることである。
　よって、前記構成ｄの「前記遊技板１１と前記液晶表示画面３４との間に配置される」は、本件補正発明の構成Ｄの「前記センター部材の後方に配置される」に相当する。
　したがって、前記構成ｄの「前記遊技板１１と前記液晶表示画面３４との間に配置される扉ユニット４０の第１の扉５１」は、本件補正発明の構成Ｄの「前記センター部材の後方に配置される可動盤面部品」に相当する。
オ　刊行物１発明の構成ｅの「液晶表示画面３４の上側に位置する枠形ベース４１の上辺４１Ｕに固定された縦開閉用モータ８０およびリール８１、該リール８１に一端部が固定された直動卷回ベルト８５からなる、第１の扉５１を支持する機構」を構成する要素のうち、「縦開閉用モータ８０およびリール８１」は「液晶表示画面３４の上側に位置する枠形ベース４１の上辺４１Ｕに固定された」要素であり、「直動卷回ベルト８５」は前記「縦開閉用モータ８０およびリール８１」に「一端部が固定」されているのであるから、これもまた、前記縦開閉用モータ８０およびリール８１なる各要素とともに「液晶表示画面３４の上側に位置する枠形ベース４１の上辺４１Ｕに固定された」要素であるといえる。
　一方、「液晶表示画面３４の上側に位置する枠形ベース４１の上辺４１Ｕ」が位置する「液晶表示画面３４の上側」は本件補正発明の「前記図柄表示装置の一辺側」に含まれるから、前記構成ｅの「液晶表示画面３４の上側に位置する枠形ベース４１の上辺４１Ｕに固定された縦開閉用モータ８０およびリール８１、該リール８１に一端部が固定された直動卷回ベルト８５」は、「液晶表示画面３４の上側」に固定されて「第１の扉５１を支持」している、すなわち、「第１の扉５１」を「液晶表示画面３４の上側」から支持するものであるといえる。
　また、前記構成ｅの「相互に固定されたひとまとまりの」は、前記構成Ｅの「一の」に相当する。
　よって、前記構成ｅの「液晶表示画面３４の上側に位置する枠形ベース４１の上辺４１Ｕに固定された縦開閉用モータ８０およびリール８１、該リール８１に一端部が固定された直動卷回ベルト８５からなる、第１の扉５１を支持する機構」は、本件補正発明の構成Ｅの「前記可動盤面部品を前記図柄表示装置の一辺側から支持する一の支持機構」に対応する。
カ　刊行物１発明の構成ｆの「アウト口１６」は本件補正発明の構成Ｆの「アウト口」に相当する。
キ　刊行物１発明の構成ｇの「第１及び第２の始動入賞口１４Ａ・１４Ｂ」は本件補正発明の構成Ｇの「入賞口」に相当する。
ク　刊行物１発明の構成ｈの「大当たり状態になると可動扉１５Ｔが開放される大入賞口１５」、「パチンコ遊技機」はそれぞれ本件補正発明の構成Ｈの「特別遊技状態のときに開成する大入賞口」、「遊技機」に相当する。
ケ　刊行物１発明の構成ｉの「上下動を通じて前記第１の扉５１を支持する機構を構成する直動卷回ベルト８５の前側に位置し」は、本件補正発明の「一の支持機構の前方・・・を往復移動する」に相当する。
　また、同構成ｉの「前記液晶表示画面３４のうち中特別図柄１３Ｂを上下にスクロール表示する中領域３４Ｂの一部が前記第１の扉５１によって前方から覆われた全閉状態に対応する、最も下方に下がった第３の位置」、「該最も下方に下がった位置から前記第１の扉５１の直動プレート７１が上昇し、前記第１の扉５１を構成する複数の従動プレート７２のうち前記直動プレート７１に隣接して前面側にある下端側の従動プレート７２と前記直動プレート７１とが完全に重なった状態になる第２の位置」、「３つの従動プレート７２全てと直動プレート７１とが完全に重なった状態にあたる第１の位置」、「上下動」、「装飾が施されたプレート本体７１Ａ」は、それぞれ本件補正発明の「第３の表示形態位置」、「第２の表示形態位置」、「第１の表示形態位置」、「往復移動」、「第１装飾体」に相当する。
　よって、前記構成ｉの「第１の扉５１は、／　前記液晶表示画面３４の前方、かつ、前記第１の扉５１を支持する機構を構成する直動卷回ベルト８５の前側に位置し、／　前記液晶表示画面３４のうち中特別図柄１３Ｂを上下にスクロール表示する中領域３４Ｂの一部が前記第１の扉５１によって前方から覆われた全閉状態に対応する、最も下方に下がった第３の位置と、該最も下方に下がった位置から前記第１の扉５１の直動プレート７１が上昇し、前記第１の扉５１を構成する複数の従動プレート７２のうち前記直動プレート７１に隣接して前面側にある下端側の従動プレート７２と前記直動プレート７１とが完全に重なった状態になる第２の位置と、３つの従動プレート７２全てと直動プレート７１とが完全に重なった状態にあたる第１の位置との、３つの位置の間を上下動する、前記直動プレート７１の、装飾が施されたプレート本体７１Ａと」は、本件補正発明の構成Ｉの「前記可動盤面部品は、／　前記図柄表示装置の前方であり、且つ前記一の支持機構の前方を所定の移動経路に沿って第１の表示形態位置と第２の表示形態位置と第３の表示形態位置との間を往復移動する第１装飾体と」に相当する。
　
コ　刊行物１発明の構成ｊの「直動プレート７１と一体となって上下動する」は、上記構成ｉのとおり「装飾が施されたプレート本体７１Ａ」が直動プレート７１の一要素であることから、本件補正発明の「第１装飾体に追従移動する」ことに相当する。
　また、前記構成ｊの「第１の扉５１を構成する複数の従動プレート７２のうち直動プレート７１のプレート本体７１Ａに隣接して前面側にある、装飾が施された従動プレート７２」は前記構成Ｊの「第２装飾体」に相当する。
　よって、刊行物１発明の構成ｊの「前記第２の位置と、前記第１の位置との、２つの位置の間を、直動プレート７１と一体となって上下動する（認定事項お３、お４）、第１の扉５１を構成する複数の従動プレート７２のうち直動プレート７１（のプレート本体７１Ａ）に隣接して前面側にある（認定事項お５）、装飾が施された（認定事項お６）従動プレート７２」は、本件補正発明の構成Ｊの「前記第１の表示形態位置と前記第３の表示形態位置との間の第２の表示形態位置まで前記第１装飾体に追従移動する第２装飾体」に相当する。
サ　刊行物１発明の構成ｋの「上下動を通じて第１の扉５１を支持する機構を構成する直動卷回ベルト８５の前側に位置し」は、本件補正発明の構成Ｋの「往復移動する過程で前記一の支持機構の前方に位置するように移動し」に相当する。
　よって、前記構成ｋの「上下動を通じて前記第１の扉５１を構成する複数の従動プレート７２のうち直動プレート７１に隣接して前面側にある、装飾が施された従動プレート７２は、前記第１の扉５１を支持する機構を構成する直動卷回ベルト８５の前側に位置し」は、前記構成Ｋの「往復移動する過程で前記一の支持機構の前方に位置するように移動し」に相当する。
　よって、前記構成ｋの「前記第１の扉５１を構成する複数の従動プレート７２のうち直動プレート７１に隣接して前面側にある、装飾が施された従動プレート７２は、上下動を通じて前記第１の扉５１を支持する機構を構成する直動卷回ベルト８５の前側に位置し」は前記構成Ｋの「前記第２装飾体は、往復移動する過程で前記一の支持機構の前方に位置するように移動し」に相当する。
シ　刊行物１発明の構成ｌの「第１及び第２の始動入賞口１４Ａ、１４Ｂが、遊技板の略左右中央で装飾枠２３の直下かつアウト口の直上に設けられ」は、本件補正発明の構成Ｌの「前記入賞口は、前記遊技盤の略左右中央で且つ前記センター部材の直下且つアウト口の直上に配置され」に相当する。
ス　上記ア〜シによれば、本件補正発明と刊行物１発明は、下記（ア）の点で一致し、下記（イ）の点で相違する。
（ア）一致点
「Ａ　遊技盤と、
Ｂ　前記遊技盤に配置され開口を有するセンター部材と、
Ｃ　前記センター部材の開口をのぞんで配置された図柄表示装置と、
Ｄ　前記センター部材の後方に配置される可動盤面部品と、
Ｅ　前記可動盤面部品を前記図柄表示装置の一辺側から支持する一の支持機構と、
Ｆ　アウト口と、
Ｇ　入賞口と、
Ｈ　特別遊技状態のときに開成する大入賞口と、を備えた遊技機であって、
Ｉ　前記可動盤面部品は、
　前記図柄表示装置の前方であり、且つ前記一の支持機構の前方を所定の移動経路に沿って第１の表示形態位置と第２の表示形態位置と第３の表示形態位置との間を往復移動する第１装飾体と、
Ｊ　前記第１の表示形態位置と前記第３の表示形態位置との間の第２の表示形態位置まで前記第１装飾体に追従移動する第２装飾体と、を備え、
Ｋ　前記第２装飾体は、往復移動する過程で前記一の支持機構の前方に位置するように移動し、
Ｌ　前記入賞口は、前記遊技盤の略左右中央で且つ前記センター部材の直下且つアウト口の直上に配置される、
Ｎ　ことを特徴とする遊技機。」
（イ）相違点１
　本件補正発明では、大入賞口は、入賞口より右方で且つ前記図柄表示装置を避けた位置に配置されているのに対し、刊行物１発明では、大入賞口１５が第１及び第２の始動入賞口１４Ａ、１４Ｂの直下に設けられる点。（構成Ｍ）
　
（５）当審の判断
ア　上記相違点１について検討する。
　パチンコ遊技機において、右打ち・左打ちに関わらず入賞・入球できるように図柄表示装置の左右中央部の直下に第１・第２始動入賞口を設け、その直下にアウト口を設けるとともに、大入賞口については、いわゆる「右打ち」モードとなった場合にのみ入賞できるように、図柄表示装置の右下方に設けるようにする盤面配置は、周知である。このことは、例えば上記（３）ウで認定したとおり、刊行物２には、本件補正発明の「大入賞口」に対応する、常時は閉成され、「大当たり」の際に開成される入賞口である「特別入賞装置２６」が、図柄表示装置１７の表示部２０ｂの略左右中央部直下に設けられた、本件補正発明の「入賞口」に対応する始動入賞装置２５の始動入賞口２５ａの右方でかつ図柄表示装置１７の表示部２０ｂに重ならない位置に設けられること、が記載されていることにより裏付けられる。
　よって、刊行物１発明において、図柄表示装置、入賞口、大入賞口、アウト口の配置に関し、前記周知の技術を採用し、前記相違点１の構成とすることは、当業者が容易に想到し得たことである。
　また、それにより奏される効果は、当業者が、刊行物１発明及び周知の技術事項から予測し得た範囲内のものであって、格別のものではない。
イ　審判請求書における請求人の主張について
（ア）請求人は審判請求書において、理由１・２として、おおむね以下の（ａ）（ｂ）の点を主張している。
（ａ）理由１
　「引用文献２に記載された遊技機には上部可動体の下限位置を拡張させたいという要請に基づいて、特別入賞装置２６を始動入賞装置２５の右側であって図柄表示装置を避けた位置に設ける必要性と、動機付けがありません。仮にそのような必要性があったとしても、単一部品である上部可動体の出没機構では実現は不可能です。また、そのような課題、動機付けについて引用文献２には言及さえありません。」
（ｂ）理由２
　「一般に図柄表示装置の前面を移動する可動盤面部品を長い距離（例えば、図柄表示装置の上辺側から下辺側に至る長い距離）に亘って昇降させようとすると、それを支持して駆動するための支持機構を遊技者から視認され易い図柄表示装置１７の前方に配置する必要があり（このことは引用文献１において露出配置されたガイドプレート７１Ｂの構成からも明かです）、この支持機構が遊技者によって視認されると、見栄えが低下して興趣が低下するという問題が発生します。このような不具合を解消するために本願発明では「前記第２装飾体は、往復移動する過程で前記一の支持機構の前方に位置するように移動し、」というように第２装飾体により支持機構を前方から視認不能とする構成を採用しています。これに対して引用文献２では可動盤面部品としての上部可動体２２０を昇降させる機構は上部ベース部２０２内に収納されて前方から視認できないので（遊技者により視認される図柄表示装置の前方に露出されていないので）、そもそも支持機構を上部可動体などによって隠蔽させる構成を工夫する必要性がありません。」
（イ）理由１について
　請求人は、本件補正発明が上記相違点１に係る構成を採用した理由について、上記（ア）（ａ）のように、図柄表示装置前面設けた上部可動体の下限動作位置を拡大することを挙げている。しかし、上記（５）アで説示したとおり、大入賞口を遊技領域の左右中央に対し右側に偏在させ、遊技状態がいわゆる大当たり（特別遊技状態）となった際に、遊技者にいわゆる「右打ち」を促して、該大入賞口へ優先的に入球させるようにする態様のパチンコ遊技機は周知であり、遊技球が通過し、各種入賞口が配置される遊技領域を図柄表示装置を避けた領域に設定することもまた周知であることに鑑みれば、上記説示のとおり、当業者であれば、単に遊技機の周知の態様の一つとして、前記周知技術を採用して上記相違点１の構成とすることも容易に想到し得たものといえるのであり、本件補正発明が仮に請求人が主張するような課題や動機により上記相違点１の構成を採用したものであるとしても、結果的に前記容易想到である構成を採用することにより当該課題を解決することができたのであるから、請求人の上記理由１に係る主張は採用できない。
（ウ）理由２について
　請求人は本件補正発明が「第２装飾体により支持機構を前方から視認不能とする構成を採用してい」る旨主張するが、支持機構と各装飾体との関係について本件補正発明で特定されているのは、第１装飾体については「一の支持機構の前方を所定の移動経路に沿って・・・往復移動」（構成Ｉ）する点、第２装飾体については「往復移動する過程で前記一の支持機構の前方に位置するように移動」する点のみ、すなわち、各装飾体の移動範囲が支持機構の前方である点のみである。
　一般に、視線に対して手前側の第１物体が奥側の第２物体を視認不能、即ち完全に隠蔽するためには、該前記第１物体が視線方向において前記第２物体の手前側にあること以外に、両者の形状・大きさの関係や、両者の視線方向の距離（間隔）についての条件も必要となることは幾何学上自明であるが、本件補正発明は前記のとおり各装飾体と支持機構との前後関係を特定するのみで、形状・大きさの関係や間隔に関する特定事項を備えていないから、請求人が主張する前記「視認不能」に関する効果は、本件補正発明の構成により必ず奏するものとはいえない。
　よって、仮に刊行物１発明の「ガイドプレート７１Ｂ」も本件補正発明の支持機構に相当するとしても、該理由２に係る請求人の主張は、本件補正発明の構成に基づくものではなく、採用することができない。
（エ）理由２に関連し、刊行物１発明における「支持機構」について
　上記刊行物１発明の認定では、本件補正発明の「一の支持機構」に相当する構成を「縦開閉用モータ８０およびリール８１、該リール８１に一端部が固定された直動卷回ベルト８５からなる、相互に固定されたひとまとまりの、第１の扉５１を支持する機構」としたが、刊行物１には、これらのほかに、前記請求人が主張し、上記３．（２）ウ（う）で挙げた「ガイドプレート７１Ｂ」およびそれを案内するガイド溝４６、４６からなる機構も存在する。しかし、これは、第１の扉５１の各プレートの上下動を支持する前記「縦開閉用モータ８０およびリール８１、該リール８１に一端部が固定された直動卷回ベルト８５」とは少なくともガイド溝４６、４６が別体で「ひとまとまり」の機構とはいえず、また、上記３．（２）ウ（う）で説示したとおり、直動プレート７１が上下動する際に、該直動プレート７１を案内し、該直動プレート７１が前後方向への移動を規制するための部材であって、請求人が審判請求書で補正根拠として主張する本件補正発明の「支持機構」に対応する具体的手段である「装飾体本体駆動機構（駆動機構）及び装飾体カバー駆動機構（駆動機構）」なる、各装飾体を上下動するための駆動機構にもあたらない。
ウ　小括
　したがって、上記ア、イにおいて検討したように、本件補正発明は、刊行物１発明及び周知の技術事項に基づいて当業者が容易に発明をすることができたものであるから、特許法第２９条第２項の規定により、特許出願の際独立して特許を受けることができない。
４．むすび
　上記３において検討したことからみて、本件補正は、特許法第１７条の２第６項において準用する同法第１２６条第７項の規定に違反するので、同法第１５９条第１項において読み替えて準用する同法第５３条第１項の規定により却下すべきものである。
第３．本願発明について
１．本願発明
　本件補正は、上記のとおり却下されたので、本願の請求項１に係る発明（以下、「本願発明」という。）は、平成２８年３月２３日付けの手続補正書により補正された、上記第２の１．で示した特許請求の範囲の請求項１に記載されたとおりのものである。 
２．刊行物 
　原査定の拒絶の理由に引用された刊行物１の記載事項は、上記第２の３．（２）に記載したとおりである。
３．対比・判断 
　本願発明は、本件補正発明の発明特定事項から、上記第２の１．の下線部の構成を省いたものである。 
　上記第２の３．（３）で検討したとおり、本件補正発明と刊行物１発明との相違点は、本件補正により加除の対象となっていない事項についてのみであるから、そうすると、本願発明及び本件補正発明と、刊行物１発明との相違点は、本件補正の前後において共通する。
　そして、当該相違点については、上記第２．３．（５）において説示したとおりである。
　したがって、本願発明は、刊行物１発明及び周知の技術事項に基づいて当業者が容易に発明をすることができたものである。
第４．むすび 
　以上のとおり、本願発明は、刊行物１発明及び周知の技術事項に基づいて当業者が容易に発明をすることができたものであるから、特許法第２９条第２項の規定により特許を受けることができないものである。 
　したがって、本願は拒絶すべきものである。 
　よって、結論のとおり審決する。